(57)【特許請求の範囲】
【請求項１】
希望波信号と妨害波信号とを含む信号出力に基づいて該希望波信号と該妨害波信号との強度比を表す信号を生成出力するＤ／Ｕ比出力部と、
前記Ｄ／Ｕ比出力部の出力と所定のしきい値との間の比較結果を出力する比較制御部と、
を備え、
前記Ｄ／Ｕ比出力部は、
入力信号の振幅を制限する振幅制限回路と、
前記振幅制限回路の入力側に設けられ、前記入力信号に含まれる前記希望波信号の成分を減衰させる帯域減衰フィルタと、
を備えることを特徴とする妨害検出装置。
【請求項２】
所望する放送局の信号である希望波信号を所定周波数帯の信号に変換するフロントエンド部と、
前記フロントエンド部の出力信号に基づいて前記希望波信号および該希望波信号の近傍に存在する妨害波信号の信号特性を抽出するとともに、抽出された信号特性に基づいて所定の制御信号を生成出力する妨害波信号制御手段と、
前記制御信号に基づいて所定の帯域フィルタを選択し、選択した帯域フィルタにて前記フロントエンド部の出力信号をフィルタリングして出力するフィルタ部と、
を備え、
前記妨害波信号制御手段は、
前記希望波信号と前記妨害波信号とを含む信号出力に基づいて該希望波信号と該妨害波信号との強度比を表す信号を生成出力するＤ／Ｕ比出力部と、
前記Ｄ／Ｕ比出力部の出力と所定のしきい値との間の比較結果を前記所定の制御信号として出力する比較制御部と、
を備え、
前記Ｄ／Ｕ比出力部は、
入力信号の振幅を制限する振幅制限回路と、
前記振幅制限回路の入力側に設けられ、前記入力信号に含まれる前記希望波信号の成分を減衰させる帯域減衰フィルタと、
を備えることを特徴とする放送受信装置。
【請求項３】
希望波信号と妨害波信号とを含む入力信号のうちの該希望波信号の成分を所定量低減させる希望波信号成分低減ステップと、
前記希望波信号と前記妨害波信号とを含む前記入力信号の振幅制限を行った振幅制限出力を生成する振幅制限出力生成ステップと、
前記振幅制限出力生成ステップにて出力された信号に基づいて前記希望波信号と前記妨害波信号との強度比を表す信号を生成出力するＤ／Ｕ比出力ステップと、
前記Ｄ／Ｕ比出力ステップの出力と所定のしきい値との間の比較結果を出力する比較ステップと、
を含むことを特徴とする妨害検出方法。
【発明の詳細な説明】
【技術分野】
【０００１】
本発明は、放送受信装置ならびに妨害検出装置および妨害検出方法に関するものである。
【背景技術】
【０００２】
一般的な放送用受信機などでは、所望周波数の信号（以下「希望波信号」と呼称）を受信するにあたり、希望波信号に隣接する周波数を使用した放送局などが存在する場合、当該隣接周波数の信号の影響を受けて受信品質が劣化する。そのため、放送用受信機などでは希望波信号の周波数に隣接するなどして希望波信号に影響を与える信号（以下「妨害波信号」と呼称）を検出した場合、このような妨害波信号を除去し、受信品質の劣化を防止する機能を備えている。【０００３】
ここで、この種の妨害波信号を除去する技術を開示した文献として、例えば、下記特許文献１に示された隣接妨害検出装置が存在する。この特許文献１は、相互変調が生じる条件下においても妨害局の発生を広いＤ／Ｕ比（希望波信号と妨害波信号とのレベル比）の範囲にわたって正確に検出するため、フロントエンド部の後段に隣接妨害波信号を検出する隣接妨害検出部を備えるようにしている。具体的に、この隣接妨害検出部は、希望波信号を中心周波数とする広帯域フィルタを通過した信号と希望波信号を中心周波数とする狭帯域フィルタを通過した信号との差分を求める第１方式隣接妨害検出部と、希望波信号より低い周波数側の妨害波信号成分を通過させるフィルタの出力と希望波信号より高い周波数側の妨害波信号成分を通過させるフィルタの出力との和を求める第２方式隣接妨害検出部と、希望波信号と妨害波信号の強度比が所定の閾値以下の場合は、第１方式隣接妨害検出部の出力に基づいて、強度比が所定の閾値を超える場合は、第２方式隣接妨害検出部の出力に基づいて、妨害波信号の検出を行うＤ／Ｕ比判定部と、を備えるように構成されている。【０００４】
【特許文献１】特開２００３−１７４３７３号公報
【発明の開示】
【発明が解決しようとする課題】
【０００５】
上述の特許文献１に示される隣接妨害検出装置では、妨害波信号の信号強度という制御パラメータだけでなく、希望波信号の信号強度をも含んだＤ／Ｕ比という制御パラメータに基づいて妨害波信号を除去するようにしている。その理由は、「隣接妨害波信号による希望波信号への影響度は妨害波信号の信号強度だけに依らずにＤ／Ｕ比によって決定される」、という要請によるものと推察される。【０００６】
しかしながら、上記特許文献１に示される隣接妨害検出装置では、正確なＤ／Ｕ比を得るために、フロントエンド部の出力をフィルタリングする複数の狭帯域フィルタが必要とされるので、装置の構成が複雑かつ高価になるといった課題が存在していた。【０００７】
本発明は、上記の課題をその一例として解決するものであって、コストや規模を低減させつつ、隣接する妨害波信号を除去可能とする放送受信装置、妨害検出装置および妨害波信号検出方法を提供することを目的とする。
【課題を解決するための手段】
【０００８】
本発明の請求項１に記載の妨害検出装置は、希望波信号と妨害波信号とを含む信号出力に基づいて該希望波信号と該妨害波信号との強度比を表す信号を生成出力するＤ／Ｕ比出力部と、前記Ｄ／Ｕ比出力部の出力と所定のしきい値との間の比較結果を出力する比較制御部と、を備え、前記Ｄ／Ｕ比出力部は、入力信号の振幅を制限する振幅制限回路と、前記振幅制限回路の入力側に設けられ、前記入力信号に含まれる前記希望波信号の成分を減衰させる帯域減衰フィルタと、を備えることを特徴とする。
【０００９】
また、本発明の請求項２に記載の放送受信装置は、所望する放送局の信号である希望波信号を所定周波数帯の信号に変換するフロントエンド部と、前記フロントエンド部の出力信号に基づいて前記希望波信号および該希望波信号の近傍に存在する妨害波信号の信号特性を抽出するとともに、抽出された信号特性に基づいて所定の制御信号を生成出力する妨害波信号制御手段と、前記制御信号に基づいて所定の帯域フィルタを選択し、選択した帯域フィルタにて前記フロントエンド部の出力信号をフィルタリングして出力するフィルタ部と、を備え、前記妨害波信号制御手段は、前記希望波信号と前記妨害波信号とを含む信号出力に基づいて該希望波信号と該妨害波信号との強度比を表す信号を生成出力するＤ／Ｕ比出力部と、前記Ｄ／Ｕ比出力部の出力と所定のしきい値との間の比較結果を前記所定の制御信号として出力する比較制御部と、を備え、前記Ｄ／Ｕ比出力部は、入力信号の振幅を制限する振幅制限回路と、前記振幅制限回路の入力側に設けられ、前記入力信号に含まれる前記希望波信号の成分を減衰させる帯域減衰フィルタと、を備えることを特徴とする。
【００１０】
また、本発明の請求項３に記載の妨害検出方法は、希望波信号と妨害波信号とを含む入力信号のうちの該希望波信号の成分を所定量低減させる希望波信号成分低減ステップと、前記希望波信号と前記妨害波信号とを含む前記入力信号の振幅制限を行った振幅制限出力を生成する振幅制限出力生成ステップと、前記振幅制限出力生成ステップにて出力された信号に基づいて前記希望波信号と前記妨害波信号との強度比を表す信号を生成出力するＤ／Ｕ比出力ステップと、前記Ｄ／Ｕ比出力ステップの出力と所定のしきい値との間の比較結果を出力する比較ステップと、を含むことを特徴とする。
【図面の簡単な説明】
【００１１】
【図１】図１は、本発明の実施例１にかかる妨害波信号制御手段を具備する放送受信装置の構成を示すブロック図である。
【図２】図２は、図１に示した整流回路１０の整流出力特性を示す図である。
【図３】図３は、図１に示したＩＦフィルタ４の構成を示すブロック図である。
【図４】図４は、ＩＦフィルタ４におけるフィルタ特性の選択フローを示すフローチャートである。
【図５】図５は、本発明の実施例２にかかる妨害波信号制御手段を具備する放送受信装置の構成を示すブロック図である。
【図６】図６は、図５に示した整流回路１０の整流出力特性を示す図である。
【符号の説明】
【００１２】
１  受信アンテナ
２  フロントエンド部
３  ＩＦ信号
４  ＩＦフィルタ
５  Ｄ／Ｕ比出力部
６  比較制御部
７  フィルタ選択信号
８  ＩＦリミッタ
９  隣接抽出用ＢＰＦ
１０  整流回路
１１  ノッチフィルタ
１２  フロントエンド部
４０  切替スイッチ
４１，４２，４３  フィルタ特性
【発明を実施するための最良の形態】
【００１３】
以下、本発明を実施するための最良の形態について説明する。本発明の妨害検出装置にかかる好適な実施形態では、希望波信号と妨害波信号とを含む信号出力に基づいて希望波信号と妨害波信号との強度比を表す信号を生成出力するＤ／Ｕ比出力部と、Ｄ／Ｕ比出力部の出力と所定のしきい値との間の比較結果を出力する比較制御部とが備えられる。また、Ｄ／Ｕ比出力部には、入力信号の振幅を制限する振幅制限回路が備えられる。【００１４】
Ｄ／Ｕ比出力部に具備される振幅制限回路は、非線形回路であり、本発明では、非線形回路の性質であるキャプチャー効果が利用される。このキャプチャー効果を利用すれば、希望波信号と妨害波信号とのレベル比であるＤ／Ｕ比が反映された出力をＤ／Ｕ比出力部から出力させることができる。【００１５】
好適な実施例では、振幅制限回路としてリミッタを用いることができる。上述の従来技術では複数の狭帯域フィルタを必要とするのに対し、本実施例では、一のフィルタのみを用いればよく、またリミッタは回路規模を小さくできるので、上記のようなＤ／Ｕ比を得るための構成（等価な構成）を簡易に実現することができる。【００１６】
また、本発明の妨害検出装置にかかる好適な他の実施形態では、Ｄ／Ｕ比出力部は、入力信号に含まれる希望波信号成分を減衰させる帯域減衰フィルタを振幅制限回路の入力側に備えるように構成することができる。【００１７】
帯域減衰フィルタを振幅制限回路の入力側に挿入することで、Ｄ／Ｕ比が広範囲に変化する場合であっても、Ｄ／Ｕ比が反映された出力をＤ／Ｕ比出力部から出力させることができる。【００１８】
好適な実施例では、帯域減衰フィルタとしてノッチフィルタを用いることができる。また、この実施例では、一のノッチフィルタをリミッタの入力側に挿入するだけで実現できるので、上記のようなＤ／Ｕ比を得るための構成（等価な構成）を簡易に実現することができる。【００１９】
さらに、上記の妨害検出装置を妨害波信号制御手段として用いることで、所望する放送局の信号を所定周波数帯の信号（例えばＩＦ信号）に変換するフロントエンド部と、フロントエンド部の出力信号を所定の帯域フィルタでフィルタリングして出力するフィルタ部（例えばＩＦフィルタ）と、を備えた放送受信装置に適用することができ、上記の妨害検出装置と同様の効果を得ることができる。【００２０】
また、本発明の妨害検出方法にかかる好適な実施形態として、希望波信号と妨害波信号とを含む入力信号の振幅制限を行った振幅制限出力を生成する振幅制限出力生成ステップと、振幅制限出力生成ステップにて出力された信号に基づいて希望波信号と前記妨害波信号との強度比を表す信号を生成出力するＤ／Ｕ比出力ステップと、Ｄ／Ｕ比出力ステップの出力と所定のしきい値との間の比較結果を出力する比較ステップと、を含む処理を実行させることができる。なお、これらの処理は、入力信号がディジタル信号に変換されている場合に、特に有効であり、上記の各ステップの処理を任意の信号処理手段あるいは情報処理手段を用いて実行させることができる。【００２１】
さらに、振幅制限出力生成ステップの前処理として、希望波信号と妨害波信号とを含む入力信号のうちの希望波信号成分を所定量低減させる希望波信号成分低減ステップを含ませることにより、Ｄ／Ｕ比が広範囲に変化する場合であっても、Ｄ／Ｕ比が反映された出力をＤ／Ｕ比出力部から出力させることができる。
【実施例】
【００２２】
つぎに、本発明の好適な実施例について図面を参照して説明する。【００２３】
（実施例１）
まず、本発明の実施例１にかかる放送受信装置について説明する。なお、図１は、本発明の実施例１にかかる妨害波信号制御手段を具備する放送受信装置の構成を示すブロック図である。【００２４】
［実施例１の構成］
図１に示す放送受信装置は、受信アンテナ１、フロントエンド部２、ＩＦフィルタ４、希望波信号と妨害波信号との強度比（以下「Ｄ／Ｕ比」と呼称）を出力するＤ／Ｕ比出力部５および比較制御部６を備えている。また、Ｄ／Ｕ比出力部５は、ＩＦリミッタ８、隣接抽出用バンドパスフィルタ（以下「ＢＰＦ］と表記）９および整流回路１０を備えている。なお、Ｄ／Ｕ比出力部５および比較制御部６の両者が上記でいうところの妨害波信号制御手段を構成する。【００２５】
［装置の動作］
つぎに、実施例１にかかる放送受信装置の動作について説明する。図１において、フロントエンド部２では、受信アンテナ１を介して受信した受信信号の中から、例えば所望する放送局の信号が選択され、選択された信号に対して増幅、周波数変換等の処理が施されたＩＦ信号３が出力される。ＩＦフィルタ４では、比較制御部６から出力されるフィルタ選択信号７に応じて後述するフィルタ特性を有するフィルタ（帯域フィルタ）が選択され、ＩＦ信号３に対して選択されたフィルタによるフィルタ処理が施される。なお、このフィルタ出力は、例えばＩＦフィルタ４の後段に通常備えられる検波回路（図示省略）に出力される。【００２６】
また、ＩＦ信号３の一部は、Ｄ／Ｕ比出力部５のＩＦリミッタ８に入力される。なお、ＩＦリミッタ８に入力されるＩＦ信号３は、フロントエンド部２の出力そのものであり、希望波信号と隣接妨害波信号とが重畳された重畳信号である。また、ＩＦリミッタ８は、入力されたＩＦ信号３の振幅を制限する非線形回路であり、本発明では、非線形回路の性質であるキャプチャー効果が利用される。【００２７】
ここで、上述のキャプチャー効果について簡単に説明する。キャプチャー効果とは、入力振幅の大きな信号（以下「大信号」という）と、入力振幅の小さな信号（以下「小信号」という）とが共に入力されて、共通増幅される際に、小信号が大信号の影響を受けて出力振幅が抑圧されるという効果である。キャプチャー効果を受ける量、すなわち、小信号が大信号によって抑圧を受ける量は、小信号と大信号との相対レベル（レベル比）に依存する。したがって、この関係を本発明に照らして考えれば、希望波信号と妨害波信号とのレベル比であるＤ／Ｕ比が反映された妨害波信号出力（あるいは希望波信号出力）が得られることになる。【００２８】
図１に戻って、隣接抽出用ＢＰＦ９では、ＩＦリミッタ８の出力から妨害波信号（隣接妨害波信号）が抽出されて整流回路１０に出力される。整流回路１０では、隣接抽出用ＢＰＦ９から出力された妨害波信号のレベルに応じた整流出力が得られる。比較制御部６では、整流回路１０から出力された整流出力と後述する所定のしきい値とが比較され、その比較結果の大小関係に基づいて、上述のフィルタ選択信号７が出力される。なお、ＩＦフィルタ４において、比較制御部６から出力されるフィルタ選択信号７に基づいて好適なフィルタが選択されることは上述したとおりである。【００２９】
［整流回路の整流出力特性］
図２は、図１に示した整流回路１０における整流出力特性を示す図である。図２では、横軸にＤ／Ｕ比がとられ、縦軸にはＤ／Ｕ比に対する整流回路１０の出力特性が示される。同図に示すように、例えばＤ／Ｕ比が「Ｍ１」（Ｍ１は正の実数値）の値をとる前後でフィルタの特性が切り替えられ、Ｄ／Ｕ比が「Ｍ２」（Ｍ２は、Ｍ２＞Ｍ１を満たす正の実数値）の値をとる前後でさらにフィルタの特性が切り替えられる。なお、比較制御部６で行われる制御では、Ｄ／Ｕ比がしきい値とされるのではなく、Ｄ／Ｕ比を反映する整流回路１０の整流出力がしきい値とされる。すなわち、Ｄ／Ｕ比「Ｍ１」に対応する整流出力「ＴＨ＿１」およびＤ／Ｕ比「Ｍ２」に対応する整流出力「ＴＨ＿２」をしきい値とするしきい値判定が行われ、このしきい値判定に基づいて生成されたフィルタ選択制御信号に応じて、後述するＩＦフィルタ４のフィルタ特性が選択される。【００３０】
［ＩＦフィルタ４のフィルタ構成］
図３は、図１に示したＩＦフィルタ４の構成を示すブロック図である。図３において、ＩＦフィルタ４は、広帯域幅のフィルタであるフィルタ特性４１、中帯域幅のフィルタであるフィルタ特性４２および狭帯域幅のフィルタであるフィルタ特性４３を具備するように構成される。また、ＩＦフィルタ４に入力されるＩＦ信号３は、フィルタ選択信号７に基づいて制御された切替スイッチ４０を介して所望のフィルタに接続され、当該フィルタ出力が検波回路（図示省略）に出力される。【００３１】
［ＩＦフィルタ４のフィルタ特性の選択フロー］
つぎに、ＩＦフィルタ４のフィルタ特性を選択するための選択手順について図１〜図４を参照して説明する。なお、図４は、フィルタ選択制御信号７に応じて選択されるＩＦフィルタ４のフィルタ特性の選択フローを示すフローチャートである。【００３２】
まず、整流回路１０の整流出力が比較制御部６に出力される。比較制御部６では、この整流出力が第１のしきい値（例えば図２に示したＴＨ＿１）を超えたか否かが判定される（ステップＳ１０１）。整流出力が第１のしきい値を超えていない場合（ステップＳ１０１：Ｎｏ）、狭帯域幅のフィルタ（例えば図３に示したフィルタ特性４３）が選択される（ステップＳ１０２）。一方、整流出力が第１のしきい値を超えている場合には（ステップＳ１０１：Ｙｅｓ）、さらに第２のしきい値（例えば図２に示したＴＨ＿２）を超えたか否かが判定される（ステップＳ１０３）。ここで、整流出力が第２のしきい値を超えていない場合（ステップＳ１０３：Ｎｏ）、中帯域幅のフィルタ（例えば図３に示したフィルタ特性４２）が選択される（ステップＳ１０４）。一方、整流出力が第２のしきい値を超えている場合には（ステップＳ１０３：Ｙｅｓ）、広帯域幅のフィルタ（例えば図３に示したフィルタ特性４１）が選択され（ステップＳ１０５）、ＩＦフィルタ４のフィルタ選択フローの処理が終了する。【００３３】
上述した実施例１にかかる妨害波信号制御手段を具備する放送受信装置によれば、フロントエンド部２からのＩＦ出力をＩＦリミッタ８に入力し、ＩＦリミッタ８の出力を隣接抽出用ＢＰＦ９を介して整流回路１０に入力するようにしているので、ＩＦリミッタ８のキャプチャー効果を利用することができ、整流回路１０の整流出力が、ＩＦ信号に含まれる信号波と妨害波信号とのＤ／Ｕ比が反映された妨害波信号出力を表すことになる。その結果、整流回路１０の整流出力に応じたフィルタ制御を行うことが、Ｄ／Ｕ比に基づいたＩＦフィルタ４のフィルタ制御を行うことと等価になり、「隣接妨害波信号による希望波信号への影響度は妨害波信号の信号強度だけに依らずにＤ／Ｕ比によって決定される」、という要請が満たされる。その一方で、従来の隣接妨害検出装置のように、フロントエンド部の出力をフィルタリングする複数の狭帯域フィルタを備えるような構成を採用していないので、Ｄ／Ｕ比を得るための構成（等価な構成）を簡易な構成で実現することができる。【００３４】
なお、本実施例では、妨害を検出する処理をＩＦ帯で行うようにしているが、特に、ＩＦ帯に限定されるものではなく、ＲＦ帯やベースバンド帯の各帯域に好適なリミッタを用いることで、上述の処理を各帯域において行うことができる。【００３５】
また、本実施例に示されるＩＦフィルタ４は、ディジタルフィルタであってもアナログフィルタであってもどちらでも構わない。肝要な点は、比較制御部６の出力に基づいて、ＩＦフィルタ４のフィルタ特性が所望のフィルタ特性に制御されるように構成されていればよい。【００３６】
また、本実施例において、Ｄ／Ｕ比出力部５で行われる処理は、アナログ処理を前提として説明しているが、この処理をディジタル処理で行ってもよい。ディジタル処理で行う場合には、フロントエンド部２のＩＦ出力をＡ／Ｄ変換したＡ／Ｄ変換出力をＤ／Ｕ比出力部５に入力させればよい。【００３７】
以上説明したように、本実施例によれば、所望する放送局の信号をＩＦ信号に変換するフロントエンド部と、ＩＦ信号に基づいて希望波信号および希望波信号の近傍に存在する妨害波信号の信号特性を抽出するとともに、抽出された信号特性に基づいて所定の制御信号を生成出力する妨害波信号制御手段と、ＩＦ信号を所定の帯域フィルタでフィルタリングして出力するＩＦフィルタと、を備え、妨害波信号制御手段は、希望波信号と妨害波信号とを含む信号出力に基づいて希望波信号と妨害波信号との強度比を表す信号を生成出力するＤ／Ｕ比出力部と、Ｄ／Ｕ比出力部の出力と所定のしきい値との間の比較結果を所定の制御信号として出力する比較制御部と、を備え、Ｄ／Ｕ比出力部は、入力信号の振幅を制限するＩＦリミッタを備えるようにしているので、隣接妨害波信号を除去可能とする構成を実現する際に、装置の構成が複雑かつ高価になるのを防止することができる。【００３８】
（実施例２）
つぎに、本発明の実施例２にかかる放送受信装置について説明する。なお、図５は、本発明の実施例２にかかる妨害波信号制御手段を具備する放送受信装置の構成を示すブロック図である。【００３９】
［実施例２の構成］
図５に示す放送受信装置は、図１に示した実施例１の構成において、フロントエンド部２の出力であるＩＦ信号３をＩＦリミッタ８に直接的に入力せずに、ＩＦノッチフィルタ１１を介して入力している点に特徴がある。なお、ＩＦノッチフィルタ１１以外の構成については、実施例１の構成と同一または同等であり、それらの構成部には、同一符号を付して示している。また、この実施例では、ＩＦノッチフィルタ１１、Ｄ／Ｕ比出力部５および比較制御部６の３者が妨害波信号制御手段を構成する。【００４０】
［装置の動作］
つぎに、実施例２にかかる放送受信装置の動作について説明する。図５において、フロントエンド部２では、受信アンテナ１を介して受信した受信信号の中から、例えば所望する放送局の信号が選択され、選択された信号に対して増幅、周波数変換等の処理が施されたＩＦ信号３が出力される。ＩＦフィルタ４では、比較制御部６から出力されるフィルタ選択信号７に応じて実施例１のときと同様に所望のフィルタ特性を有するフィルタが選択され、ＩＦ信号３に対して選択されたフィルタによるフィルタ処理が施されるとともに、ＩＦフィルタ４の後段に通常備えられる検波回路（図示省略）に出力される。【００４１】
一方、ＩＦ信号３の一部は、ＩＦノッチフィルタ１１に入力される。ＩＦノッチフィルタ１１は、妨害波信号の出力に殆ど影響を与えることなく希望波信号の出力を低減させるためのフィルタである。したがって、ＩＦノッチフィルタ１１は、希望波信号の中心周波数近傍に自身の中心周波数があり、自身の遮断周波数域内に妨害波信号を含まないようなフィルタ特性のものが選択される。【００４２】
ＩＦノッチフィルタ１１の出力は、Ｄ／Ｕ比出力部５のＩＦリミッタ８に入力される。隣接抽出用ＢＰＦ９では、ＩＦノッチフィルタ１１の出力（隣接妨害波信号と低減された希望波信号の各成分が含まれる）から隣接妨害波信号が抽出されて整流回路１０に出力される。整流回路１０では、隣接抽出用ＢＰＦ９から出力された妨害波信号のレベルに応じた整流出力が得られる。比較制御部６では、整流回路１０から出力された整流出力と後述する所定のしきい値とが比較され、その比較結果の大小関係に基づいて、フィルタ選択信号７が出力される。なお、ＩＦフィルタ４において、比較制御部６から出力されるフィルタ選択信号７に基づいて好適なフィルタが選択されることは図３および図４に示した実施例１と同様であり、その説明を省略する。【００４３】
［整流回路の整流出力特性］
つぎに、ＩＦノッチフィルタ１１を挿入した場合の整流回路１０における整流出力特性について図６を参照して説明する。なお、図６は、図５に示した整流回路１０における整流出力特性を示す図である。図６では、横軸にＤ／Ｕ比がとられ、縦軸にはＤ／Ｕ比に対する整流回路１０の出力特性が示されている。同図において、曲線Ｌ１（ノッチなし）は、ＩＦノッチフィルタ１１がない場合、すなわち、実施例１にかかる整流出力特性である図２に示した曲線Ｋ１を再掲したものである。一方、曲線Ｌ２（ノッチあり）は、ＩＦノッチフィルタ１１を挿入した本実施例にかかる整流出力特性を示している。【００４４】
ここで、ＩＦノッチフィルタ１１を有さない場合の整流出力特性Ｌ１と、ＩＦノッチフィルタ１１を有する場合の整流出力特性Ｌ２とを比較する。図４に示すフローでは、整流出力が第２のしきい値（ＴＨ＿２）を超えた場合に広帯域幅のフィルタを選択するようにしているが、この選択段階において、さらにフィルタの選択を２段階に拡張することを考える。ところが、ＩＦノッチフィルタ１１を有さない場合の整流出力特性Ｌ１では、新たなフィルタ切替レベルとして好ましいＤ／Ｕ比「Ｐ３」に対応する整流出力レベルが「ＴＨ＿３’」であり、第２のしきい値（ＴＨ＿２）と、整流出力特性Ｌ１における新たなしきい値である第３のしきい値（ＴＨ＿３’）との間のレベル差が少なく、整流出力に含まれるノイズとの関係で判別が困難となる。【００４５】
一方、ＩＦノッチフィルタ１１を有する場合の整流出力特性Ｌ２では、新たなフィルタ切替レベルとして好ましいＤ／Ｕ比「Ｐ３」に対応する整流出力レベルが「ＴＨ＿３」であり、整流出力に含まれるノイズを考慮したとしても、第２のしきい値（ＴＨ＿２）と、整流出力特性Ｌ２における新たなしきい値である第３のしきい値（ＴＨ＿３）との間のレベル差が十分とれ、しきい値判定が可能となる。【００４６】
つぎに、このようなしきい値が設定された場合のフィルタの切り替え処理について説明する。同図Ｌ２において、例えばＤ／Ｕ比が「Ｐ１」（Ｐ１は正の実数値）の値をとる前後でフィルタの特性が切り替えられ、Ｄ／Ｕ比が「Ｐ２」（Ｐ２は、Ｐ２＞Ｐ１を満たす正の実数値）の値をとる前後でフィルタの特性が切り替えられ、さらにＤ／Ｕ比が「Ｐ３」（Ｐ３は、Ｐ３＞Ｐ２を満たす正の実数値）の値をとる前後でフィルタの特性が切り替えられる。【００４７】
なお、比較制御部６で行われる制御では、実施例１のときと同様に、Ｄ／Ｕ比がしきい値とされるのではなく、Ｄ／Ｕ比を反映する整流回路１０の整流出力がしきい値とされる。すなわち、Ｄ／Ｕ比「Ｐ１」に対応する整流出力「ＴＨ＿１」、Ｄ／Ｕ比「Ｐ２」に対応する整流出力「ＴＨ＿２」およびＤ／Ｕ比「Ｐ３」に対応する整流出力「ＴＨ＿３」をしきい値とするしきい値判定が行われ、このしきい値判定に基づいて生成されたフィルタ選択制御信号に応じて、ＩＦフィルタ４のフィルタ特性が選択される。【００４８】
上述した実施例２にかかる妨害波信号制御手段を具備する放送受信装置によれば、フロントエンド部２からのＩＦ出力をＩＦノッチフィルタ１１を介してＩＦリミッタ８に入力し、ＩＦリミッタ８の出力を隣接抽出用ＢＰＦ９を介して整流回路１０に入力するようにしているので、ＩＦリミッタ８のキャプチャー効果を利用することができ、整流回路１０の整流出力が、ＩＦ信号に含まれる信号波と妨害波信号とのＤ／Ｕ比が反映された妨害波信号出力を表すことになる。【００４９】
また、ＩＦノッチフィルタ１１を挿入することで、Ｄ／Ｕ比が比較的大きい場合に整流回路１０の整流出力が飽和傾向に陥るのを遅らせることができるので、Ｄ／Ｕ比が比較的大きい領域におけるフィルタ制御を詳細に行うことができ、その結果、広範囲なＤ／Ｕ比において、ＩＦフィルタ４のフィルタ制御を行うことができる。また、実施例１と同様に、従来の隣接妨害検出装置のように、フロントエンド部の出力をフィルタリングする複数の狭帯域フィルタを備えるような構成を採用していないので、Ｄ／Ｕ比を得るための構成（等価な構成）を簡易な構成で実現することができる。【００５０】
なお、本実施例では、妨害を検出する処理をＩＦ帯で行うようにしているが、特に、ＩＦ帯に限定されるものではなく、ＲＦ帯やベースバンド帯の各帯域に好適なＩＦノッチフィルタ１１、ＩＦリミッタ８を用いることで、上述の処理を各帯域において行うことができる。【００５１】
また、本実施例に示されるＩＦフィルタ４は、ディジタルフィルタであってもアナログフィルタであってもどちらでも構わない。肝要な点は、比較制御部６の出力に基づいて、ＩＦフィルタ４のフィルタ特性が所望のフィルタ特性に制御されるように構成されていればよい。【００５２】
また、本実施例において、Ｄ／Ｕ比出力部５で行われる処理は、アナログ処理を前提として説明しているが、この処理をディジタル処理で行ってもよい。ディジタル処理で行う場合には、フロントエンド部２のＩＦ出力をＡ／Ｄ変換したＡ／Ｄ変換出力をＤ／Ｕ比出力部５に入力させればよい。【００５３】
以上説明したように、本実施例によれば、所望する放送局の信号をＩＦ信号に変換するフロントエンド部と、ＩＦ信号に基づいて希望波信号および希望波信号の近傍に存在する妨害波信号の信号特性を抽出するとともに、抽出された信号特性に基づいて所定の制御信号を生成出力する妨害波信号制御手段と、ＩＦ信号を所定の帯域フィルタでフィルタリングして出力するＩＦフィルタと、を備え、妨害波信号制御手段は、希望波信号と妨害波信号とを含む信号出力に基づいて希望波信号と妨害波信号との強度比を表す信号を生成出力するＤ／Ｕ比出力部と、Ｄ／Ｕ比出力部の出力と所定のしきい値との間の比較結果を所定の制御信号として出力する比較制御部と、を備え、Ｄ／Ｕ比出力部は、入力信号の振幅を制限するＩＦリミッタを備えるとともに、入力信号に含まれる希望波信号成分を減衰させるＩＦフィルタをＩＦリミッタの入力側に備えるようにしているので、Ｄ／Ｕ比が広範囲に変化する場合であっても、隣接妨害波信号を除去可能とする構成を実現することができる。また、これらの構成を実現する際に、装置の構成が複雑かつ高価になるのを防止することができる。
【図１】
0004658125.tif 000002
【図２】
0004658125.tif 000003
【図３】
0004658125.tif 000004
【図４】
0004658125.tif 000005
【図５】
0004658125.tif 000006
【図６】
0004658125.tif 000007